(57)【特許請求の範囲】
【請求項１】
コストを絞り込む仕様条件パラメータを生成する条件生成機構を持つ原価シミュレーション装置における原価見積もりパラメータ最適化方法であって、
前記条件生成機構によって、
データベースから類似コストおよび類似仕様の部品を検索し、
前記部品のどの仕様条件が価格の変動要素となっているかのファクタを判断し、その判断に応じた重みを指定し、
指定されたファクタの重みに基づいて価格の差異を各ファクタに重み付け配分し、重み付け配分されたファクタを仕様条件パラメータとして登録する
ことを特徴とする原価見積もりパラメータ最適化方法。
【請求項２】
コストを絞り込む仕様条件パラメータを生成する条件生成機構を持ち、複数の入力条件を指定して原価を求める原価シミュレーション装置における原価見積もりパラメータ最適化方法であって、
前記条件生成機構によって、
原価データベースから類似コストを取り出し、
前記類似コストのどの仕様条件で価格変動が起きるかを判断し、
判断された仕様条件と前記価格変動との差異価格を登録し、
前記価格変動の大きい仕様条件から降順ソートし、
予め決められた閾値より低い仕様条件をカットし、
これにより、生成された仕様条件パラメータを、条件パラメータ・閾値データベースに格納するに際して、複数のコストとそれに付随する複数仕様条件の原価データベースへの登録をトリガにして、新しい仕様条件パラメータを生成することを特徴とする原価見積もりパラメータ最適化方法。
【請求項３】
コストを絞り込む仕様条件パラメータを生成する条件生成機構を持つ原価シミュレーション装置であって、
データベースから類似コストおよび類似仕様の部品を検索する手段と、
前記部品のどの仕様条件が価格の変動要素となっているかのファクタを判断し、その判断に応じた重みを指定する手段と、
指定されたファクタの重みに基づいて価格の差異を各ファクタに重み付け配分し、重み付け配分されたファクタを前記仕様条件パラメータとして登録する手段と、
を備えることを特徴とする原価シミュレーション装置。
【請求項４】
コストを絞り込む仕様条件パラメータを生成する条件生成機構を持ち、複数の入力条件を指定して原価を求める原価シミュレーション装置であって、
原価データベースから類似コストを取り出す類似コスト検索手段と、
前記類似コストのどの仕様条件で価格変動が起きるかを判断するファクタ指示手段と、
判断された仕様条件と前記価格変動との差異価格を登録する差異価格登録手段と、
前記価格変動の大きい仕様条件から降順ソートする条件ソート手段と、
予め決められた閾値より低い仕様条件をカットする簡略化手段とを有する前記条件生成機構と、
生成された仕様条件パラメータを、格納する条件パラメータ・閾値データベースとを備え、
複数のコストとそれに付随する複数仕様条件の原価データベースへの登録をトリガにして、新しい仕様条件パラメータを生成することを特徴とする原価シミュレーション装置。
【請求項５】
コストを絞り込む仕様条件パラメータを生成する条件生成機構を持つ原価シミュレーション装置に、
データベースから類似コストおよび類似仕様の部品を検索する処理と、
前記部品のどの仕様条件が価格の変動要素となっているかのファクタを判断し、その判断に応じた重みを指定する処理と、
指定されたファクタの重みに基づいて価格の差異を各ファクタに重み付け配分し、重み付け配分されたファクタを前記仕様条件パラメータとして登録する処理を実行させることを特徴とするプログラム。
【請求項６】
コストを絞り込む仕様条件パラメータを生成する条件生成機構を持ち、複数の入力条件を指定して原価を求める原価シミュレーション装置に、
原価データベースから類似コストを取り出す類似コスト検索処理と、
前記類似コストのどの仕様条件で価格変動が起きるかを判断するファクタ指示処理と、
判断された仕様条件と前記価格変動との差異価格を登録する差異価格登録処理と、
前記価格変動の大きい仕様条件から降順ソートする条件ソート処理と、
予め決められた閾値より低い仕様条件をカットする簡略化処理と、
生成された仕様条件パラメータを、条件パラメータ・閾値データベースに格納する処理と、
複数のコストとそれに付随する複数仕様条件の原価データベースへの登録をトリガにして、新しい仕様条件パラメータを生成する処理とを実行させることを特徴とするプログラム。
【発明の詳細な説明】
【技術分野】
【０００１】
本発明は、原価シミュレーション装置において、コストファクタの選出を自動的に行い、原価コストを左右する条件パラメータの適正化を自律的に行い、コスト絞り込みに必要となる条件の選択作業を最小に抑える技術に関する。
【背景技術】
【０００２】
原価検討を行うシステムはこれまでにも存在している。検討を行う際に、目的を達する部品が複数個あり、それぞれのコストが大きく異なる場合、選択条件パラメータを追加して、より精度の高いコスト絞り込みを行う必要がある。
【０００３】
関連技術として、製品の製造原価を迅速、かつ正確に見積もる技術が提案されている。その構成は、製造原価見積りシステムは、過去に製造された部品が登録され、その登録部品に関するデータが記憶されている部品情報データベースを有する。部品情報データベースには、製造原価に影響を与える製造プロセスデータが含まれている。このように構築された部品情報データベースから製品の部品に類似する登録部品を選択する。そして、製品に類似する登録部品の製造原価に基づいて、製品の部品の製造原価を算出し、総ての製品の部品の製造原価を算出して、製品の製造原価を見積もる。製品の部品の製造原価の算出の際に登録部品の製造プロセスデータを参照する。（例えば、特許文献１参照）。
【特許文献１】特開２００２−１８２７３２号公報
【発明の開示】
【発明が解決しようとする課題】
【０００４】
選択条件パラメータを追加すればそれだけ見積もり精度が高くなるが、最適な入力条件を定めるために、調査や選択入力の手間がそれだけ増え、誰でも簡易に使えるシステムとはならなかった。
【０００５】
また、原価を左右する仕様条件や原価を格納するデータベースは日々更新されており、システムを開発したときに設定した選択条件パラメータが常に最適であるとは限らず、システムの改良が必要になるという問題があった。
【０００６】
本発明は、以上のような課題を解決するためになされたもので、日々追加される原価データがどのように複雑な仕様条件であってもシステムの改造なしにコストを求めることが出来る原価見積もりパラメータ最適化方法、原価シミュレーション装置およびプログラムを提供することを目的とする。
【課題を解決するための手段】
【０００７】
本発明の第一の原価見積もりパラメータ最適化方法は、コストを絞り込む仕様条件パラメータを生成する条件生成機構を持つ原価シミュレーション装置における原価見積もりパラメータ最適化方法であって、前記条件生成機構によって、データベースから類似コストおよび類似仕様の部品を検索し、前記部品のどの仕様条件が価格の変動要素となっているかのファクタを判断し、その判断に応じた重みを指定し、指定されたファクタの重みに基づいて価格の差異を各ファクタに重み付け配分し、重み付け配分されたファクタを仕様条件パラメータとして登録することを特徴とする。
【０００８】
また、本発明の第二の原価見積もりパラメータ最適化方法は、コストを絞り込む仕様条件パラメータを生成する条件生成機構を持ち、複数の入力条件を指定して原価を求める原価シミュレーション装置における原価見積もりパラメータ最適化方法であって、前記条件生成機構によって、原価データベースから類似コストを取り出し、前記類似コストのどの仕様条件で価格変動が起きるかを判断し、判断された仕様条件と前記価格変動との差異価格を登録し、前記価格変動の大きい仕様条件から降順ソートし、予め決められた閾値より低い仕様条件をカットし、これにより、生成された仕様条件パラメータを、条件パラメータ・閾値データベースに格納するに際して、複数のコストとそれに付随する複数仕様条件の原価データベースへの登録をトリガにして、新しい仕様条件パラメータを生成することを特徴とする。
【０００９】
また、本発明の第一の原価シミュレーション装置は、コストを絞り込む仕様条件パラメータを生成する条件生成機構を持つ原価シミュレーション装置であって、データベースから類似コストおよび類似仕様の部品を検索する手段と、前記部品のどの仕様条件が価格の変動要素となっているかのファクタを判断し、その判断に応じた重みを指定する手段と、指定されたファクタの重みに基づいて価格の差異を各ファクタに重み付け配分し、重み付け配分されたファクタを前記仕様条件パラメータとして登録する手段と、を備えることを特徴とする。
【００１０】
また、本発明の第二の原価シミュレーション装置は、コストを絞り込む仕様条件パラメータを生成する条件生成機構を持ち、複数の入力条件を指定して原価を求める原価シミュレーション装置であって、原価データベースから類似コストを取り出す類似コスト検索手段と、前記類似コストのどの仕様条件で価格変動が起きるかを判断するファクタ指示手段と、判断された仕様条件と前記価格変動との差異価格を登録する差異価格登録手段と、前記価格変動の大きい仕様条件から降順ソートする条件ソート手段と、予め決められた閾値より低い仕様条件をカットする簡略化手段と、を有する前記条件生成機構と、生成された仕様条件パラメータを、格納する条件パラメータ・閾値データベースとを備え、複数のコストとそれに付随する複数仕様条件の原価データベースへの登録をトリガにして、新しい仕様条件パラメータを生成することを特徴とする。
【００１１】
また、本発明の第一のプログラムは、コストを絞り込む仕様条件パラメータを生成する条件生成機構を持つ原価シミュレーション装置に、データベースから類似コストおよび類似仕様の部品を検索する処理と、前記部品のどの仕様条件が価格の変動要素となっているかのファクタを判断し、その判断に応じた重みを指定する処理と、指定されたファクタの重みに基づいて価格の差異を各ファクタに重み付け配分し、重み付け配分されたファクタを前記仕様条件パラメータとして登録する処理を実行させることを特徴とする。
【００１２】
また、本発明の第二のプログラムは、コストを絞り込む仕様条件パラメータを生成する条件生成機構を持ち、複数の入力条件を指定して原価を求める原価シミュレーション装置に、原価データベースから類似コストを取り出す類似コスト検索処理と、前記類似コストのどの仕様条件で価格変動が起きるかを判断するファクタ指示処理と、判断された仕様条件と前記価格変動との差異価格を登録する差異価格登録処理と、前記価格変動の大きい仕様条件から降順ソートする条件ソート処理と、予め決められた閾値より低い仕様条件をカットする簡略化処理と、生成された仕様条件パラメータを、条件パラメータ・閾値データベースに格納する処理と、複数のコストとそれに付随する複数仕様条件の原価データベースへの登録をトリガにして、新しい仕様条件パラメータを生成する処理とを実行させることを特徴とする。
【発明の効果】
【００１３】
本発明によれば、日々追加される原価データがどのように複雑な仕様条件であってもシステムの改造なしにコストを求めることが出来る。
【発明を実施するための最良の形態】
【００１４】
以下、本発明の実施の形態の構成について図面を参照して詳細に説明する。
図１を参照すると、本発明の第１の実施の形態における、複数の入力条件を指定して原価を求める原価シミュレーション装置１に組み込まれている、条件生成機構２は、類似コスト検索手段１１と、ファクタ指示手段１２と、条件パラメータ登録手段１３と、条件パラメータソート手段１４と、簡略化手段１５とから構成されている。
【００１５】
また、条件選択機構３は、条件パラメータ表示手段２１と、ユーザー指示条件判定手段２２から構成されている。
【００１６】
これらの機構２，３は、原価データベース４および条件パラメータ・閾値データベース５へのアクセス手段を有する。
【００１７】
これらの手段はそれぞれ概略つぎのように動作する。
原価データベース４は、複数のコストとそれに付随する複数仕様条件を格納する。
【００１８】
条件パラメータ・閾値データベース５は、条件パラメータ・閾値を格納する。
【００１９】
類似コスト検索手段１１は、新たに登録される新原価・仕様条件６に類似する類似コスト７を原価データベース４から抽出する。
【００２０】
ファクタ指示手段１２は、新原価・仕様条件６と類似コスト７がどの仕様条件で価格変動が起きるかを判断する。
【００２１】
条件パラメータ登録手段１３は、ファクタ指示手段１２で判断された条件パラメータと価格変動の差異価格をデータベース５に登録する。
【００２２】
条件パラメータソート手段１４は、データベース５の各条件パラメータを価格変動の大きい仕様条件から降順ソートする。
【００２３】
簡略化手段１５は、データベース５の閾値より低い条件パラメータをカットする。
【００２４】
条件パラメータ表示手段２１は、データベース５の条件パラメータを取りだし、例えばブルダウンメニューのようなＷｅｂページのユーザー応答を求める。
【００２５】
ユーザー指示条件判定手段２２は、条件パラメータ表示手段２１でユーザーが選択したパラメータを元に原価データベース４を検索し、最適コストを呈示する。
【００２６】
次に、図１及び図２から図７までの表を参照して本実施の形態の動作について詳細に説明する。
【００２７】
まず、図２の原価データベース４にすでに名称ａａの部品が登録されており、今回、原価情報提供者が名称ｂｂの部品を追加したものとする。この名称ｂｂの部品データが新原価・仕様条件６である。
【００２８】
次に、原価データベース４に登録されると、条件生成機構２が呼び出される。
【００２９】
まず、類似コスト検索手段１１で新原価・仕様条件６に最も類似するコストデータ、すなわち原価データベース４の列の各値の差異が最も少ないデータをａａと定める。
【００３０】
次にファクタ指示手段１２で、部品ａａとｂｂの間に差異のある列を取り出す。図２の例ではコストファクタは「実装形態」と「電流」の２項目あるので、この複数のファクタの重みを指定する。一例として、最初に部品ａａとｂｂの価格の差額１０円を全ファクタに等分に振り分ける。
【００３１】
結果として、図３のように「実装形態」、「電流」にそれぞれ５円の重みが付与された条件パラメータが生成され、条件パラメータ登録手段１３によって、条件パラメータ・閾値データベース５に格納される。
【００３２】
次に、条件パラメータソート手段１４が呼ばれるが、図３の場合は差分がないので、ソートは行われない。
【００３３】
最後に簡略化手段１５が呼ばれ、予め条件パラメータ・閾値データベース５に格納されている閾値を下回るコストファクタを削除する。
【００３４】
閾値はいろいろな式が考えられるが、今回は「重み順に２項目まで」ということにする。
【００３５】
図３では、２項目しかないので、切り捨ては発生しない。
【００３６】
この条件生成機構２で生成された条件パラメータは、ユーザーに提示する条件選択機構３によって、図４の画面のように提示される。
【００３７】
次に、図５で、原価データベース４に新たに名称ｃｃの部品を追加したものとする。
【００３８】
類似コスト検索手段１１で名称ｃｃの新原価・仕様条件６に最も類似するコストデータ、すなわち原価データベース４の列の各値の差異が最も少ないデータをｂｂと定める。
【００３９】
次にファクタ指示手段１２で、部品ｂｂとｃｃの間に差異のある列を取り出す。図５の例ではコストファクタは「電流」の１項目あるので、このファクタの重みを指定する。一例として、部品ｂｂとｃｃの価格の差額５円を「電流」に加算する。
【００４０】
結果として、図６のように「電流」の重みは１０円となり、条件パラメータ登録手段１３によって条件パラメータ・閾値データベース５に格納される。
【００４１】
次に、条件パラメータソート手段１４が呼ばれ、図６のように「電流」、「実装形態」の順に降順ソートが行われる。
【００４２】
最後に簡略化手段１５が呼ばれ、予め条件パラメータ・閾値データベース５に格納されている閾値を下回るコストファクタを削除するが、今回も２項目だけなので、切り捨ては発生しない。
【００４３】
この条件生成機構２で生成された条件パラメータは、ユーザーに提示する条件選択機構３によって、図７の画面のように提示される。
【００４４】
次に、図８で、原価データベース４に新たに名称ｄｄの部品を追加したものとする。
【００４５】
類似コスト検索手段１１で名称ｄｄの新原価・仕様条件６に最も類似するコストデータ、すなわち原価データベース４の列の各値の差異が最も少ないデータをｃｃと定める。
【００４６】
次にファクタ指示手段１２で、部品ｃｃとｄｄの間に差異のある列を取り出す。図８の例ではコストファクタは「リード長」の１項目あるので、このファクタの重みを指定する。一例として、部品ｃｃとｄｄの価格の差額１０円を「リード長」に加算する。
【００４７】
結果として、図９のように「リード長」の重みは１０円となり、条件パラメータ登録手段１３によって条件パラメータ・閾値データベース５に格納される。
【００４８】
次に、条件パラメータソート手段１４が呼ばれ、図６のように「リード長」、「電流」、「実装形態」の順に降順ソートが行われる。
【００４９】
最後に簡略化手段１５が呼ばれ、予め条件パラメータ・閾値データベース５に格納されている閾値を下回るコストファクタ「実装形態」を削除する。
【００５０】
この条件生成機構２で生成された条件パラメータは、ユーザーに提示する条件選択機構３によって、図１０の画面のように提示される。
【００５１】
したがって、図３,７,１０の３画面のように、選択肢が自動的に最適化されるように構成されているため、入力工数を減らすことが出来る。
【００５２】
また、最後の図１０では、「リード長」と「電流」の２選択条件パラメータだけで、原価コストを求めることになるが、リード長３．３ｍｍを指定し、電流１．５を選択すると自動的に実装形態が「ＤＩＰ」である部品ａａが求まり、リード長３．３ｍｍを指定し、電流２．０を選択すると自動的に実装形態が「ＰＦ」である部品ａａが求まり、「実装形態」の選択肢がなくなったとしても、絞り込み精度への影響を最小限に抑えることが出来ていることは明らかである。
【００５３】
上記の本実施の形態によれば、日々追加される原価データがどのように複雑な仕様条件であってもシステムの改造なしにコストを求めることが出来る。その理由は、コストを絞り込む仕様条件パラメータを生成する条件生成機構において、原価データベースから類似コストを取り出す類似コスト検索手段と、これらのコストのどの仕様条件で価格変動が起きるかを指示するファクタ指示手段と、差異価格を登録する条件パラメータ登録手段によってコストファクタを自動的に選定するためである。
【００５４】
また、従来の原価シミュレーションより簡易に原価を検討することが出来る。その理由は、コストを絞り込む仕様条件パラメータを生成する条件生成機構において、価格変動の大きい仕様条件から降順ソートする条件パラメータソート手段と、閾値より低い仕様条件をカットする簡略化手段を有するためである。
【００５５】
なお、上述する各実施の形態は、本発明の好適な実施の形態であり、本発明の要旨を逸脱しない範囲内において種々変更実施が可能である。例えば、原価シミュレーション装置の機能を実現するためのプログラムを原価シミュレーション装置に読込ませて実行することにより原価シミュレーション装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、追加の装置により機能が分散されて実現される形態も本発明の範囲内である。すなわち、本発明は、原価シミュレーションや原価見積もりを行う装置をコンピュータに実現するためのプログラムといった用途に適用できる。
【図面の簡単な説明】
【００５６】
【図１】本発明の実施の形態に係る装置構成を示す図である。
【図２】原価データベースの構成を示す図である。
【図３】条件パラメータを示す図である。
【図４】条件選択機構の画面を示す図である。
【図５】追加後の原価データベースの構成を示す図である。
【図６】追加後の条件パラメータを示す図である。
【図７】追加後の条件選択機構の画面を示す図である。
【図８】さらに追加後の原価データベースの構成を示す図である。
【図９】さらに追加後の条件パラメータを示す図である。
【図１０】さらに追加後の条件選択機構の画面を示す図である。
【符号の説明】
【００５７】
１    原価シミュレーション装置
２    条件生成機構
３    条件選択機構
４    原価データベース
５    条件パラメータ・閾値データベース
６    新原価・仕様条件
７    類似コスト
１１    類似コスト検索手段
１２    ファクタ指示手段
１３    条件パラメータ登録手段
１４    条件パラメータソート手段
１５    簡略化手段
２１    条件パラメータ表示手段
２２    ユーザー指示条件判定手段
【図１】
0005130935.tif 000002
【図２】
0005130935.tif 000003
【図３】
0005130935.tif 000004
【図４】
0005130935.tif 000005
【図５】
0005130935.tif 000006
【図６】
0005130935.tif 000007
【図７】
0005130935.tif 000008
【図８】
0005130935.tif 000009
【図９】
0005130935.tif 000010
【図１０】
0005130935.tif 000011